(57)【要約】      （修正有）【課題】小さな音声でも明瞭に聴取でき、かつ、寝た状態で使用してもヘッドホンが耳から外れることもないヘッドホン型補聴器を提供する。【解決手段】スピーカと増幅器及び電池などを収容した左右一対のヘッドホン１を、後頭部付近を迂回するよう湾曲された弾性を有する連結アーム９で連結し、かつ連結アーム９とヘッドホン１の連結部近傍に耳掛け部９ａを形成すると共に、左右ヘッドホン１の少なくとも一方にマイクロホン２を設けたもので、ヘッドホン１を連結する連結アーム９が使用者の後頭部付近を迂回して目に付きにくくする。【選択図】図１
0003131386.tif 000002
【実用新案登録請求の範囲】
【請求項１】
スピーカ３と増幅器４及び電池７などを収容した左右一対のヘッドホン１を、後頭部付近を迂回するよう湾曲された弾性を有する連結アーム９で連結し、かつ連結アーム９とヘッドホン１の連結部近傍に耳掛け部９ａを形成すると共に、左右ヘッドホン１の少なくとも一方にマイクロホン２を設けたことを特徴とするヘッドホン型補聴器。
【請求項２】
マイクロホン２を、ヘッドホン１に対して回転自在なマイクケース２ａと、このマイクケース２ａ内に設けたマイク本体２ｂより形成すると共に、上記マイクケース２ａに補聴器の動作時発光する発光部２ｃを設けてなる請求項１記載のヘッドホン型補聴器。
【請求項３】
ヘッドホン１内の電源回路に、ヘッドホン１を耳に装着した際電源をオンするプッシュスイッチ６を設けてなる請求項１または２記載のヘッドホン型補聴器。
【考案の詳細な説明】
【技術分野】
【０００１】この考案は音声を明瞭に聴取できるヘッドホン型補聴器に関する。
【背景技術】
【０００２】  従来補聴器の多くは、外部から使用しているのを分からなくするため超小型に形成されていたが、小型の補聴器は音響特性が悪いため、音声が明瞭に聴取できなかったり、長時間使用していると疲れるなどの不具合があった。【０００３】かかる、不具合を改善するため最近では例えば特開平９−８４１９６号公報や、特開平９−１３９９９９号公報などで、ヘッドホン型の補聴器が提案されている。
上記公報の補聴器は、音声増幅回路やイヤホンなどが組込まれた左右ヘッドホンを、弾性を有する弓形の連結アームで連結した構造となっていて、連結アームを頭部のほぼ真上に掛けることにより、ヘッドホンの自重を支持するようになっている。
【考案の開示】
【考案が解決しようとする課題】
【０００４】  しかし上記従来の補聴器では、音響性能の改善は認められるが、左右のヘッドホンを連結する連結アームを頭部のほぼ真上に掛ける構造のため、連結アームが目立って体裁が余りよくないと共に、連結アームによって髪形が崩れたり、髪が乱れるため、特に女性が使用する場合、抵抗感があるなどの不具合がある。【０００５】  また上記従来の補聴器を寝た状態で使用した場合、左右ヘッドホンの自重を連結アームが支持できないため、使用中にヘッドホンが耳からずれたり、脱落することがあり、使用感がよくないなどの不具合もある。【０００６】  この考案はかかる従来の不具合を改善するためになされたもので、小さな音声でも明瞭に聴取でき、かつ寝た状態で使用してもヘッドホンが耳から外れることもないヘッドホン型補聴器を提供することを目的とするものである。
【課題を解決するための手段】
【０００７】  上記目的を達成するため請求項１記載の考案は、スピーカと増幅器及び電池などを収容した左右一対のヘッドホンを、後頭部付近を迂回するよう湾曲された弾性を有する連結アームで連結し、かつ連結アームとヘッドホンの連結部近傍に耳掛け部を形成すると共に、左右ヘッドホンの少なくとも一方にマイクロホンを設けたものである。【０００８】  上記構成により、ヘッドホンを連結する連結アームが使用者の後頭部付近を迂回して目に付きにくくなるため、体裁が大変よいと共に、連結アームによって髪形が崩れたり、髪が乱れる心配がないので、女性でも安心して使用することができる。【０００９】  また起きた状態で使用しても、寝た状態で使用しても、連結アームの耳掛け部によりヘッドホンが支持されるため、自重によってヘッドホンが耳からずれたり、脱落することがなく、これによって良好な使用感が得られると共に、ヘッドホンを大型化することにより音響性能を向上することができるため、長時間使用していても疲れることが少ない。【００１０】  上記目的を達成するため請求項２記載の考案は、マイクロホンを、ヘッドホンに対して回転自在なマイクケースと、このマイクケース内に設けたマイク本体より形成すると共に、マイクケースに補聴器の動作時発光する発光部を設けたものである。【００１１】  上記構成により、マイクロホンを音源方向へ向けることができるため、聞きたい音源からの音声のみを効率よく集音することができると共に、補聴器の動作中は発光部が発光するため、周囲からも、また暗い場所でも、動作を容易に確認することができる。【００１２】  上記目的を達成するため請求項３記載の考案は、ヘッドホン内の電源回路に、ヘッドホンを耳に装着した際電源をオンするプッシュスイッチを設けたものである。【００１３】  上記構成により、耳に装着すると動作を開始し、また耳から外すと電源が切れるので、電源スイッチを切り忘れても、電池の消耗を防止できるため経済的であると共に、耳から外した状態でプッシュスイッチ付近を押圧し、発光部が発光するのを目視することにより、動作の確認を使用者本人ができるため、電源スイッチの入れ忘れを防止することもできる。
【考案を実施するための最良の形態】
【００１４】  この考案の実施の形態を図面を参照して詳述する。
図において１は左右一対のヘッドホンで、一方のヘッドホン１にマイクロホン２が回転自在に設けられている。
上記ヘッドホン１は、合成樹脂などにより形成された筐体１ａ内にスピーカ３と１Ｃよりなる増幅器４、電源スイッチ５、プッシュスイッチ６及びボタン電池などの電池７が収容されている。【００１５】  上記スピーカ３は、ヘッドホン１を耳に装着した際耳に向って音声を出力するよう筐体１ａ内に設置されており、各スピーカ３より出力された音声は、筐体１ａに開口された放音孔１ｂより筐体１ａ外へ放音されると共に、筐体１ａの放音面には、スポンジ状のパッド８が着脱自在に取付けられていて、ヘッドホン１が耳にソフトに当接するようになっている。【００１６】  左右のヘッドホン１は、後頭部を迂回するよう湾曲するほぼ弓形の連結アーム９により連結されている。
上記連結アーム９は弾性を有する金属パイプや樹脂パイプなどにより形成されていて、左右ヘッドホン１との連結部近傍には、装着時耳に掛ける耳掛け部９ａが湾曲形成されており、これら耳掛け部９ａによって起きて使用しているときでも、寝て使用しているときでも、ヘッドホン１が耳からずれたり、脱落しないようになっている。【００１７】また一方のヘッドホン１に設けられたマイクロホン２は、筒状のマイクケース２ａを有していて、このマイクケース２ａ内にコンデンサマイクよりなるマイク本体２ｂと、補聴器の動作時点灯する発光ダイオードよりなる発光素子１０が収容されている。【００１８】  上記発光素子１０はマイクケース２ａの一端側に設けられたドーム型の発光部２ｃ内に収容されていて、発光素子１０が発光しているのをどの方向からでも容易に確認できるようになっていると共に、マイク本体２ｂの設けられたマイクケース２ａの外周面には外部の音がマイク本体２ｂに効率よく集音できるようスリット状の集音孔２ｂが複数開口されている。【００１９】  マイクケース２ａの他端側には、マイクジャック１１の雄端子１１ａが横方向に突設されていて、この雄端子１１ａをヘッドホン１内に設けられたマイクジャック１１の雄端子１１ｂに挿入することにより、マイクケース２ａ内のマイク本体２ｂ及び発光素子１０がヘッドホン１内の電気回路に接続できるようになっている。【００２０】  ヘッドホン１内の電気回路は図６に示すように、マイクロホン２を接続する一方のヘッドホン１内に、マイク本体２ｂより送られてきた音声信号を増幅して左右ヘッドホン１内のスピーカ３へ出力する増幅器４が収容されており、他方のヘッドホン１には電池７と電源スイッチ５及びヘッドホン１を耳に装着したときオンされるプッシュスイッチ６が収容されると共に、左右ヘッドホン１間は、連結アーム９内に配線された電源線１３及び信号線１４により接続されている。【００２１】  次に上記構成されたヘッドホン型補聴器の作用を説明する。
このヘッドホン型補聴器は、補聴器としては勿論、バードウォッチングのように健聴者が小さな音声を拡声して聴取するときに使用することができる。【００２２】  使用に当っては、まず電源スイッチ５をオンにしてから、連結アーム９を後頭部の首付近を迂回するように装着し、かつ耳掛け部９ａを両耳に掛けた状態で左右ヘッドホン１のパッド８面を図７に示すように耳に当接させる。
これによってヘッドホン１内のプッシュスイッチ６が耳に押圧されて図８に示すようにオンされるので、マイクロホン２のマイク本体２ｂと発光素子１０及び増幅器４に電池７より電源が供給されて動作状態になると共に、発光素子１０が発光して周囲からでも動作状態が確認できるようになる。【００２３】  またマイクロホン２の集音孔２ｂよりマイク本体２ｂに集音された音声は、電気信号に変換されて増幅器４へと送られ、増幅器４により増幅された後、左右ヘッドホン１内のスピーカ３へ出力されるため、スピーカ３より拡声された音声が耳に向かって放音されるようになり、これによって小さな音声でも明瞭に聴取することができると共に、ヘッドホン１に取付けられたパッド８が周囲の雑音を遮断するので、雑音のない音声を聴取できるようになる。【００２４】  一方ヘッドホン１を耳から外すと、プッシュスイッチ６がオフになって自動的に電源が切れるため、電源スイッチ５を切り忘れても、電池７の消耗が防止できると共に、逆に電源スイッチ５を入れ忘れている場合、プッシュスイッチ６付近を指などで触れても発光素子１０が発光しないので、ヘッドホン１を耳に掛けなくとも電源スイッチ５の入れ忘れが本人でも容易に確認できるようになる。【００２５】  またヘッドホン１に対してマイクロホン２がマイクジャック１１を中心に３６０度回転できるので、起きて使用する場合や、寝て使用する場合でも、マイクロホン２の集音孔２ｄを音源方向へ向けることができ、これによって聞きたい音源からの音声のみを効率よく集音することができると共に、補聴器の動作中は発光素子１０が発光するので、暗い場所でも補聴器が動作しているのを確認できるようになる。【００２６】  なお上記実施の形態では、左右ヘッドホン１の一方にのみマイクロホン２を設けたが、両方に設けても勿論よい。
【考案の効果】
【００２７】  この考案は以上詳述したように、スピーカと増幅器及び電池などを収容した左右一対のヘッドホンを、後頭部付近を迂回するよう湾曲された弾性を有する連結アームで連結し、かつ連結アームとヘッドホンの連結部近傍に耳掛け部を形成すると共に、左右ヘッドホンの少なくとも一方にマイクロホンを設けたことから、ヘッドホンを連結する連結アームが使用者の後頭部付近を迂回して目に付きにくくなるため、体裁が大変よい上、連結アームによって髪形が崩れたり、髪が乱れる心配がないので、女性でも安心して使用することができると共に、起きた状態で使用しても、寝た状態で使用しても、連結アームの耳掛け部によりヘッドホンが支持されるため、自重によってヘッドホンが耳からずれたり、脱落することがなく、これによって良好な使用感が得られる上、ヘッドホンを大型化することにより音響性能を向上することができるため、長時間使用していても疲れることが少ない。
またマイクロホンを、ヘッドホンに対して回転自在なマイクケースと、このマイクケース内に設けたマイク本体より形成すると共に、マイクケースに補聴器の動作時発光する発光部を設けたことから、マイクロホンを音源方向へ向けることができるため、聞きたい音源からの音声のみを効率よく集音することができると共に、補聴器の動作中は発光部が発光するため、周囲からも、また暗い場所でも、動作を容易に確認することができる。
さらにヘッドホン内の電源回路に、ヘッドホンを耳に装着した際電源をオンするプッシュスイッチを設けたことから、耳に装着すると動作を開始し、また耳がら外すと電源が切れるので、電源スイッチを切り忘れても、電池の消耗を防止で使用しても、寝た状態で使用しても、連結アームの耳掛け部によりヘッドホンが支持されるため、自重によってヘッドホンが耳からずれたり、脱落することがなく、これによって良好な使用感が得られる上、ヘッドホンを大型化することにより音響性能を向上することができるため、長時間使用していても疲れることが少ない。
またマイクロホンを、ヘッドホンに対して回転自在なマイクケースと、このマイクケース内に設けたマイク本体より形成すると共に、マイクケースに補聴器の動作時発光する発光部を設けたことから、マイクロホンを音源方向へ向けることができるため、聞きたい音源からの音声のみを効率よく集音することができると共に、補聴器の動作中は発光部が発光するため、周囲からも、また暗い場所でも、動作を容易に確認することができる。
さらにヘッドホン内の電源回路に、ヘッドホンを耳に装着した際電源をオンするプッシュスイッチを設けたことから、耳に装着すると動作を開始し、また耳がら外すと電源が切れるので、電源スイッチを切り忘れても、電池の消耗を防止できるため経済的であると共に、耳から外した状態でプッシュスイッチ付近を押圧し、発光部が発光するのを目視することにより、動作の確認を使用者本人ができるため、電源スイッチの入れ忘れを防止することもできる。
【図面の簡単な説明】
【００２８】
【図１】この考案の実施の形態になるヘッドホン型補聴器の斜視図である。
【図２】この考案の実施の形態になるヘッドホン型補聴器の正面図である。
【図３】この考案の実施の形態になるヘッドホン型補聴器の側面図である。
【図４】この考案の実施の形態になるヘッドホン型補聴器の断面図である。
【図５】この考案の実施の形態になるヘッドホン型補聴器のヘッドホンよりマイクロホンを外した状態の斜視図である。
【図６】この考案の実施の形態になるヘッドホン型補聴器の回路図である。
【図７】この考案の実施の形態になるヘッドホン型補聴器の使用状態の説明図である。
【図８】この考案の実施の形態になるヘッドホン型補聴器の使用状態の断面図である。
【符号の説明】
【００２９】１  ヘッドホン、２  マイクロホン、２ａ  マイクケース、２ｂ  マイク本体、２ｃ  発光部、２ｄ  集音孔、３  スピーカ、４  増幅器、  ６  プッシュスイッチ、７  電池、９  連結アーム、９ａ  耳掛け部
【図１】
0003131386.tif 000003
【図２】
0003131386.tif 000004
【図３】
0003131386.tif 000005
【図４】
0003131386.tif 000006
【図５】
0003131386.tif 000007
【図６】
0003131386.tif 000008
【図７】
0003131386.tif 000009
【図８】
0003131386.tif 000010